(57)【特許請求の範囲】
【請求項１】
排ガス中の煤煙を取り除く電気集塵機（９）の集塵効率を上げるために、煤煙に接触させるアンモニアを、煙道アンモニア貯蔵タンク（５）から各煙道（３，４）に至るＡ−煙道アンモニア注入装置（１０）とＢ−煙道アンモニア注入装置（１１）にそれぞれ供給して煤煙処理を施し、脱硝アンモニア貯蔵タンク（２）からアンモニアガス、液化アンモニアを脱硝装置（１）に至る脱硝アンモニア注入装置（８）に供給して脱硝処理をそれぞれ施すアンモニア貯蔵タンク内のアンモニアを全量消費する方法であって、
前記Ａ−煙道アンモニア注入装置（１０）において、煙道（３）への開閉弁（１３ｂ）を閉じ、該Ａ−煙道アンモニア注入装置（１０）から前記脱硝装置（１）に接続したアンモニアガス供給配管（１４）の開閉弁（１３ｂ）を開け、前記煙道アンモニア貯蔵タンク（５）から送液した液化アンモニアを気化し、この気化したアンモニアガスを脱硝装置（１）へ供給し、
前記脱硝アンモニア注入装置（８）において、脱硝アンモニア貯蔵タンク（２）から液化アンモニアを脱硝装置（１）へ送液する開閉弁（１３ａ）を閉じ、Ｂ−煙道アンモニア注入装置（１１）に接続した液化アンモニア供給配管（１２）から液化アンモニアを該Ｂ−煙道アンモニア注入装置（１１）へ送液し、この液化アンモニアを気化し、この気化したアンモニアガスを煙道（３，４）に供給し、該脱硝アンモニア貯蔵タンク（２）内の液化アンモニアの全量を消費する、ことを特徴とするアンモニア貯蔵タンクの全量消費方法。
【請求項２】
前記脱硝アンモニア貯蔵タンク（２）に貯蔵されている液化アンモニアの残量が警報発生時期に近づいたときに、
前記煙道アンモニア貯蔵タンク（５）の液化アンモニアを、前記Ａ−煙道アンモニア注入装置（１０）から前記脱硝装置（１）に供給し、
前記脱硝アンモニア貯蔵タンク（２）の液化アンモニアを、前記Ｂ−煙道アンモニア注入装置（１１）から前記煙道（３，４）に供給し、該脱硝アンモニア貯蔵タンク（２）内の液化アンモニアを全量消費する、ことを特徴とする請求項１のアンモニア貯蔵タンクの全量消費方法。
【請求項３】
排ガス中の煤煙と窒素酸化物を除去する際に用いる液化アンモニアを貯蔵しているアンモニア貯蔵タンク（２，５）から、液化アンモニアの全量を消費するアンモニア貯蔵タンクの全量消費装置であって、
煙道（３，４）に供給する液化アンモニアを貯蔵する煙道アンモニア貯蔵タンク（５）と、
煤煙を取り除く電気集塵機（９）の集塵効率を上げるために、前記煙道アンモニア貯蔵タンク（５）に貯蔵した液化アンモニアを、アンモニアガスに気化する気化器（６）と煙道（３）から成るＡ−煙道アンモニア注入装置（１０）と、
前記煙道アンモニア貯蔵タンク（５）に貯蔵した液化アンモニアを、アンモニアガスに気化する気化器（６）と煙道（４）から成るＢ−煙道アンモニア注入装置（１１）、
前記脱硝装置（１）に供給する液化アンモニアを貯蔵する脱硝アンモニア貯蔵タンク（２）と、
排ガス中の窒素酸化物を除去する脱硝装置（１）に供給するアンモニアガスを、前記液化アンモニアから気化する気化器（６）から成る脱硝アンモニア注入装置（８）と、
前記Ａ，Ｂ−煙道アンモニア注入装置（１０，１１）の気化器（６）と前記煙道アンモニア貯蔵タンク（５）の間と、前記脱硝アンモニア注入装置（８）の気化器（６）と脱硝アンモニア貯蔵タンク（２）との間に接続した、該脱硝アンモニア貯蔵タンク（２）内の液化アンモニアを、Ａ，Ｂ−煙道アンモニア注入装置（１０，１１）に送液する液化アンモニア供給配管（１２）と、
前記Ａ，Ｂ−煙道アンモニア注入装置（１０，１１）の気化器（６）から前記煙道（３，４）までの間と、前記脱硝アンモニア注入装置（８）の気化器（６）と前記脱硝装置（１）の間に接続した、Ａ，Ｂ−煙道アンモニア注入装置（１０，１１）からアンモニアガスを該脱硝装置（１）に供給するアンモニアガス供給配管（１４）と、を備えた、ことを特徴とするアンモニア貯蔵タンクの全量消費装置。
【請求項４】
前記脱硝装置（１）に連続して脱硫装置を、更に備えた、ことを特徴とする請求項３のアンモニア貯蔵タンクの全量消費装置。
【発明の詳細な説明】
【技術分野】
【０００１】
本発明は、火力発電所等の発電プラントにおける排ガス処理技術に係り、特にアンモニア貯蔵タンク内のアンモニアを有効に消費するアンモニア貯蔵タンクの全量消費方法及びその装置に関する。
【背景技術】
【０００２】
発電所、特に火力発電所では、図４の装置図に示すような排ガス処理設備において、アンモニア含有排水が発生することがある。図示するように、ボイラー２１の出口から煙突２２に至る煙道２３には、煙道ダクトを介して順次直列に接続された脱硝装置１、電気集塵機９及び脱硫装置２４から成る排ガス処理設備が設置されている。なお、脱硫装置２４を設置していない排ガス処理設備もある。この排ガス処理設備に付随して熱交換器としてエアヒーター２５及びガスガスヒーター２６が設置されている。
【０００３】
このような排ガス処理設備においては、アンモニアを利用して排ガスを処理している。例えば排ガス中に含まれる窒素酸化物を除去する脱硝装置１にアンモニアを利用している。また、排ガス中の煤煙を取り除く電気集塵機９の集塵効率を上げるためにもアンモニアを利用している。
【０００４】
ここで、脱硝装置１は排ガス中から窒素酸化物（ＮＯｘ）を、電気集塵機９は煤塵を、また脱硫装置２４は硫黄酸化物（ＳＯｘ）をそれぞれ除去する。この脱硝装置１としては、例えばアンモニア選択接触還元方式のものがある。この方式は、還元剤としてアンモニアを用い、所定の触媒の存在下、排ガス中の窒素酸化物（ＮＯｘ）を選択的にアンモニアと接触させ、窒素と水に還元するものである。この装置で還元剤として用いられるアンモニアは、通常、液化アンモニアとして供給されており、図示するように、液体の状態で脱硝アンモニア貯蔵タンク２に貯蔵している。
【０００５】
ボイラー２１の運転時には、液化アンモニアは脱硝アンモニア貯蔵タンク２から開閉弁１３を開けて送液された後、気化器６で気化され、ガスヘッダー７を経て脱硝装置１まで送られる。
【０００６】
また、燃料中の硫黄分が燃焼過程において、大半は二酸化硫黄（ＳＯ２）になり、脱硫装置２４によって除去されているが、一部が三酸化硫黄（ＳＯ３）となり露点が高く、排ガス中の水分と結合し硫酸となり、煙道２３や電気集塵機９の腐食損傷を引き起こすため、エアヒーター２５の出口煙道２３へアンモニアを注入し中和処理している。
【０００７】
図５はアンモニアによる脱硝処理と煤煙処理の処理設備を示す概略装置図である。この概略装置図では、脱硝アンモニア貯蔵タンク２から１号脱硝装置１へ至る脱硝アンモニア注入装置８と、煙道アンモニア貯蔵タンク５から１・２号煙道３、３号煙道４へ至る煙道アンモニア注入装置１０，１１を示す。脱硝アンモニア注入装置８では、脱硝アンモニア貯蔵タンク２から送液された液化アンモニアが気化器６でアンモニアガスに気化され、このアンモニアガスはガスヘッダー７を経て１号脱硝装置１に供給される。
【０００８】
また、Ａ−煙道アンモニア注入装置１０又はＢ−煙道アンモニア注入装置１１では、煙道アンモニア貯蔵タンク５から送液された液化アンモニアがそれぞれの気化器６でアンモニアガスに気化され、このアンモニアガスはガスヘッダー７を経て各煙道３，４にそれぞれ供給される。
【０００９】
それぞれのアンモニア貯蔵タンク２，５について、定期点検における開放点検時には、アンモニア貯蔵タンク２，５のアンモニアレベル下げを実施する。「貯蔵タンクレベル低」の警報が発生する前に消費を停止し、アンモニア残液を大量の希釈水とともに、ブロー即ち廃棄処理していた。
【００１０】
このようにアンモニア貯蔵タンク２，５が空になるまで、液化アンモニアを消費すると、処理設備へアンモニアが一時的に無注入状態になる。特に脱硝装置１へのアンモニアが無注入になると、窒素酸化物排出量が公害協定値を超えるため、貯蔵タンクレベル低以下で運転を継続することは危険と考えられている。そこで「貯蔵タンクレベル低」の警報が発生する前に消費を停止する。例えば容量が２０ｔの貯蔵タンク２，５では液化アンモニアを約３ｔ程度残す状態にしている。
【００１１】
このようにアンモニア貯蔵タンク２，５に液化アンモニアが残っていると、その内部を洗浄する必要がある。このようなアンモニアが含有する排水を浄化する技術について、例えば特許文献１の特開２０００−３１７２７２号公報「アンモニア含有排水の浄化方法」に、ＮＨ3 含有排水からＮＨ3を放出して気相中に移行させる工程と、この工程で発生したＮＨ3 を含むガスを加熱する工程と、加熱されたＮＨ3 含有ガスを、脱硝機能を備えたＮＨ3 分解触媒に接触させてＮＨ3 をＮ2 とＨ2 Ｏに分解する工程とを含む浄化方法が提案されている。
【先行技術文献】
【特許文献】
【００１２】
【特許文献１】特開２０００−３１７２７２号公報
【発明の概要】
【発明が解決しようとする課題】
【００１３】
しかし、「貯蔵タンクレベル低」の警報が発生する前に消費を停止することは、例えば容量が２０ｔの貯蔵タンク２，５には液化アンモニアが約３ｔ残った状態になり、資源を有効に利用できないという問題を有していた。
【００１４】
このように残った液化アンモニアは大量の水、例えば貯蔵タンク２，５の容量が２０ｔのときは約３００ｔの水で希釈し、アンモニア水を排水処理装置で処理していた。この排水処理装置および排水経路において、アンモニア臭が発生するという問題を有していた。
また、アンモニアを含む高窒素処理にはコストがかかるという問題を有していた。
【００１５】
本発明の発明者は、アンモニアによる煤煙処理においては、アンモニアが無注入であっても、集塵効率が大きく変動しないことに着目した。脱硝アンモニア貯蔵タンク２と煙道アンモニア貯蔵タンク５が備えられた設備では、これらのアンモニア貯蔵タンク２，５の供給先を使い分けることに着目した。
【００１６】
本発明は、かかる問題点を解決するために創案されたものである。すなわち、本発明の目的は、脱硝アンモニア貯蔵タンクと煙道アンモニア貯蔵タンクとを使い分けることで、脱硝アンモニア貯蔵タンクを空になるまで消費し、従来のように無駄にアンモニアを残して廃棄することなくアンモニアを有効に利用し、かつその廃棄のために貯蔵タンクの清掃の労力を軽減し、また希釈水の利用量を低減することができるアンモニア貯蔵タンクの全量消費方法及びその装置を提供することにある。
【課題を解決するための手段】
【００１７】
本発明のアンモニア貯蔵タンクの全量消費方法は、排ガス中の煤煙を取り除く電気集塵機（９）の集塵効率を上げるために、煤煙に接触させるアンモニアを、煙道アンモニア貯蔵タンク（５）から各煙道（３，４）に至るＡ−煙道アンモニア注入装置（１０）とＢ−煙道アンモニア注入装置（１１）にそれぞれ供給して煤煙処理を施し、脱硝アンモニア貯蔵タンク（２）からアンモニアガス、液化アンモニアを脱硝装置（１）に至る脱硝アンモニア注入装置（８）に供給して脱硝処理をそれぞれ施すアンモニア貯蔵タンク内のアンモニアを全量消費する方法であって、前記Ａ−煙道アンモニア注入装置（１０）において、煙道（３）への開閉弁（１３ｂ）を閉じ、該Ａ−煙道アンモニア注入装置（１０）から前記脱硝装置（１）に接続したアンモニアガス供給配管（１４）の開閉弁（１３ｂ）を開け、前記煙道アンモニア貯蔵タンク（５）から送液した液化アンモニアを気化し、この気化したアンモニアガスを脱硝装置（１）へ供給し、前記脱硝アンモニア注入装置（８）において、脱硝アンモニア貯蔵タンク（２）から液化アンモニアを脱硝装置（１）へ送液する開閉弁（１３ａ）を閉じ、Ｂ−煙道アンモニア注入装置（１１）に接続した液化アンモニア供給配管（１２）から液化アンモニアを該Ｂ−煙道アンモニア注入装置（１１）へ送液し、この液化アンモニアを気化し、この気化したアンモニアガスを煙道（３，４）に供給し、該脱硝アンモニア貯蔵タンク（２）内の液化アンモニアの全量を消費する、ことを特徴とする。
【００１８】
前記脱硝アンモニア貯蔵タンク（２）に貯蔵されている液化アンモニアの残量が警報発生時期に近づいたときに、前記煙道アンモニア貯蔵タンク（５）の液化アンモニアを、前記Ａ−煙道アンモニア注入装置（１０）から前記脱硝装置（１）に供給し、前記脱硝アンモニア貯蔵タンク（２）の液化アンモニアを、前記Ｂ−煙道アンモニア注入装置（１１）から前記煙道（３，４）に供給し、該脱硝アンモニア貯蔵タンク（２）内の液化アンモニアを全量消費する、ことが好ましい。
【００１９】
本発明の装置は、排ガス中の煤煙と窒素酸化物を除去する際に用いる液化アンモニアを貯蔵しているアンモニア貯蔵タンク（２，５）から、液化アンモニアの全量を消費するアンモニア貯蔵タンクの全量消費装置であって、煙道（３，４）に供給する液化アンモニアを貯蔵する煙道アンモニア貯蔵タンク（５）と、煤煙を取り除く電気集塵機（９）の集塵効率を上げるために、前記煙道アンモニア貯蔵タンク（５）に貯蔵した液化アンモニアを、アンモニアガスに気化する気化器（６）と煙道（３）から成るＡ−煙道アンモニア注入装置（１０）と、前記煙道アンモニア貯蔵タンク（５）に貯蔵した液化アンモニアを、アンモニアガスに気化する気化器（６）と煙道（４）から成るＢ−煙道アンモニア注入装置（１１）、前記脱硝装置（１）に供給する液化アンモニアを貯蔵する脱硝アンモニア貯蔵タンク（２）と、排ガス中の窒素酸化物を除去する脱硝装置（１）に供給するアンモニアガスを、前記液化アンモニアから気化する気化器（６）から成る脱硝アンモニア注入装置（８）と、前記Ａ，Ｂ−煙道アンモニア注入装置（１０，１１）の気化器（６）と前記煙道アンモニア貯蔵タンク（５）の間と、前記脱硝アンモニア注入装置（８）の気化器（６）と脱硝アンモニア貯蔵タンク（２）との間に接続した、該脱硝アンモニア貯蔵タンク（２）内の液化アンモニアを、Ａ，Ｂ−煙道アンモニア注入装置（１０，１１）に送液する液化アンモニア供給配管（１２）と、前記Ａ，Ｂ−煙道アンモニア注入装置（１０，１１）の気化器（６）から前記煙道（３，４）までの間と、前記脱硝アンモニア注入装置（８）の気化器（６）と前記脱硝装置（１）の間に接続した、Ａ，Ｂ−煙道アンモニア注入装置（１０，１１）からアンモニアガスを該脱硝装置（１）に供給するアンモニアガス供給配管（１４）と、を備えた、ことを特徴とする。
前記脱硝装置（１）に連続して脱硫装置を、更に備えることが好ましい。
【発明の効果】
【００２０】
上記方法の発明では、脱硝アンモニア貯蔵タンク（２）から煙道アンモニア貯蔵タンク（５）へ切り換え、この煙道アンモニア貯蔵タンク（５）から送液した液化アンモニアを気化し、この気化したアンモニアガスを脱硝装置（１）に供給しているので無注入状態にならない。一方、煙道（３，４）へのアンモニアガスの無注入が生じても電気集塵機（９）の集塵効率は大きく変動しないので、脱硝アンモニア貯蔵タンク（２）内の液化アンモニアの全量を使用することができる。即ち、液化アンモニアを残すことなく有効に利用することができる。
その後、この脱硝アンモニア貯蔵タンク（２）について開放点検を実施することができる。この開放点検に際して、脱硝アンモニア貯蔵タンク（２）内にはアンモニアの残量がないので、清掃に際して廃棄する必要がない。また希釈水の利用量を低減することができる。
【００２１】
上記装置の発明では、従来の排ガス処理設備に、脱硝アンモニア貯蔵タンク（２）内の液化アンモニアを、Ａ，Ｂ−煙道アンモニア注入装置（１０，１１）に送液する液化アンモニア供給配管（１２）と、Ａ，Ｂ−煙道アンモニア注入装置（１０，１１）からアンモニアガスを脱硝装置（１）に供給するアンモニアガス供給配管（１４）とを設けただけで、脱硝アンモニア貯蔵タンク（２）内の液化アンモニアの有効利用が可能になる。
【図面の簡単な説明】
【００２２】
【図１】本発明のアンモニア貯蔵タンクの装置を示す概略装置図である。
【図２】本発明の脱硝処理と煤煙処理を通常に実施している状態を示す概略装置図である。
【図３】本発明の脱硝アンモニア貯蔵タンクレベル下げ時の状態を示す概略装置図である。
【図４】火力発電所の排ガス処理設備を示す装置図である。
【図５】従来のアンモニアによる脱硝処理と煤煙処理の装置を示す概略装置図である。
【発明を実施するための形態】
【００２３】
本発明は、煙道アンモニア注入装置において、煙道アンモニア貯蔵タンクから送液したアンモニアを脱硝装置へ供給し、脱硝アンモニア注入装置において、脱硝アンモニア貯蔵タンクからアンモニアを煙道に供給し、脱硝アンモニア貯蔵タンク内の液化アンモニアの全量を消費する方法とその装置である。
【実施例１】
【００２４】
以下、本発明の好ましい実施の形態を図面を参照して説明する。
図１は本発明のアンモニア貯蔵タンクの装置を示す概略装置図である。図２は本発明の脱硝処理と煤煙処理を通常に実施している状態を示す概略装置図である。図示例で「太い実線」が送液、送気されている状態を示し、黒の実線は煤煙処理装置を示し、グレーの実線は脱硝処理装置を示す。
本発明のアンモニア貯蔵タンクは、図４の装置図に示したような排ガス処理設備に備えられる設備であり、１号脱硝装置（脱硝装置）１へ供給するアンモニアを貯蔵する脱硝アンモニア貯蔵タンク２と、１・２号煙道（煙道）３と、３号煙道（煙道）４へ供給するアンモニアを貯蔵する煙道アンモニア貯蔵タンク５と少なくとも２基備える。これら２基のアンモニア貯蔵タンク２，５を使い分けるためである。
【００２５】
脱硝アンモニア貯蔵タンク２に貯蔵されている液化アンモニアは、気化器６でアンモニアガスに気化される。例えば気化器６では、液化アンモニアを１３０ｋｇ／ｈ程度の量をアンモニアガスにしている。このアンモニアガスは圧力調整のガスヘッダー７を経て１号脱硝装置１へ供給され、排ガス中の窒素酸化物（ＮＯｘ）と接触させ、窒素と水に還元して、排液処理される。この脱硝アンモニア貯蔵タンク２から脱硝装置（１号脱硝装置）１に至る処理設備が脱硝アンモニア注入装置８である。
【００２６】
煙道アンモニア貯蔵タンク５に貯蔵されている液化アンモニアは、気化器６でアンモニアガスに気化される。例えば気化器６では、液化アンモニアを１３０ｋｇ／ｈ程度の量をアンモニアガスにしている。このアンモニアガスは、ガスヘッダー７を経て１・２号煙道３へ送られ、排ガス中の煤煙を取り除く電気集塵機９の集塵効率を上げるため利用される。この煙道アンモニア貯蔵タンク５から１・２号煙道３に至る装置がＡ−煙道アンモニア注入装置１０である。例えば、１・２号煙道３では、アンモニアガスを５１ｋｇ／ｈ程度の量を消費している。煙道アンモニア貯蔵タンク５に接続した配管は、気化器６の上流で分岐して接続する。分岐された他方は、次に説明するＢ−煙道アンモニア注入装置１１の気化器６に接続する。
【００２７】
煙道アンモニア貯蔵タンク５から３号煙道４に至る装置がＢ−煙道アンモニア注入装置１１である。この煙道アンモニア貯蔵タンク５に貯蔵されている液化アンモニアは、気化器６でアンモニアガスに気化される。このアンモニアガスはガスヘッダー７を経て３号煙道４へ送られ、排ガス中の煤煙を取り除く電気集塵機９の集塵効率を上げるため利用される。例えば、３号煙道４では、アンモニアガスを６９ｋｇ／ｈ程度の量を消費している。
【００２８】
上述において１号脱硝装置１や、１・２号煙道３や、３号煙道４と称しているが、これは便宜的な表現であり、この名称に拘泥されない。Ａ−煙道アンモニア注入装置１０とＢ−煙道アンモニア注入装置１１の名称も一例にすぎない。２基以上のアンモニア貯蔵タンク２，５を、２装置の煙道アンモニア注入装置１０，１１で使い分けることができれば、これらの名称、数には拘泥されない。
【００２９】
更に、本発明では、Ａ，Ｂ−煙道アンモニア注入装置１０，１１における煙道アンモニア貯蔵タンク５と各気化器６の間と、脱硝アンモニア注入装置８における脱硝アンモニア貯蔵タンク２と気化器６の間に液化アンモニア供給配管１２を接続した。図示するように、Ａ，Ｂ−煙道アンモニア注入装置１０，１１は２装置あり、脱硝アンモニア注入装置８に接続した配管は、分岐してそれぞれ２装置に接続した。
【００３０】
液化アンモニア供給配管１２と分岐して接続した各気化器６の間にはそれぞれ開閉弁１３ａを設けた。煙道アンモニア貯蔵タンク５から分岐して各気化器６に接続した配管にもそれぞれ開閉弁１３ａを設けた。
【００３１】
Ａ，Ｂ−煙道アンモニア注入装置１０，１１の気化器６から煙道３，４までの間と、脱硝アンモニア注入装置８の気化器６と脱硝装置１の間にはアンモニアガス供給配管１４を接続した。このアンモニアガス供給配管１４は、Ａ，Ｂ−煙道アンモニア注入装置１０，１１からアンモニアガスを脱硝装置１に供給する配管である。
【００３２】
アンモニアガス供給配管１４には、脱硝アンモニア注入装置８からＡ−煙道アンモニア注入装置１０へのアンモニアガスの供給と停止を制御する開閉弁１３ｂを設けている。また、Ａ−煙道アンモニア注入装置１０からアンモニアガスを１・２号煙道３への供給と停止を制御する開閉弁１３ｂを設けている。同じくＢ−煙道アンモニア注入装置１１からアンモニアガスを３号煙道４への供給と停止を制御する開閉弁１３ｂをそれぞれ設けている。
【００３３】
図３は本発明の脱硝アンモニア貯蔵タンクレベル下げ時の状態を示す概略装置図である。これは予熱器を洗浄する状態を示す概略装置図である。図示例で「太い実線」が送液、送気されている状態を示し、黒の実線は煤煙処理装置を示し、グレーの実線は脱硝処理装置を示す。
アンモニア貯蔵タンク２，５について定期点検における開放点検時が近づいてきたら、一方のＡ−煙道アンモニア注入装置１０において、アンモニアガスを１・２号煙道３へ送る開閉弁１３ｂを閉じる。煙道アンモニア貯蔵タンク５から送液した液化アンモニアを気化器６で気化する。このアンモニアガスは、アンモニアガス供給配管１４の開閉弁１３ｂを開け、脱硝装置１へ供給する。
【００３４】
他方のＢ−煙道アンモニア注入装置１１において、脱硝アンモニア貯蔵タンク２の液化アンモニアを液化アンモニア供給配管１２から供給する。このときは、Ｂ−煙道アンモニア注入装置１１における開閉弁１３ａを閉じ、脱硝アンモニア注入装置８は停止する。
【００３５】
次に、液化アンモニア供給配管１２から供給された液化アンモニアは、Ｂ−煙道アンモニア注入装置１１の気化器６で気化し、この気化したアンモニアガスを１・２号煙道３と３号煙道４へ供給する。１・２号煙道３と３号煙道４へのアンモニアガスの無注入が生じても電気集塵機９の集塵効率は大きく変動しないので、脱硝アンモニア貯蔵タンク２内の液化アンモニアを全量使用することができる。その後、この脱硝アンモニア貯蔵タンク２について定期点検における開放点検を実施することができる。
【００３６】
定期点検における開放点検に際して、脱硝アンモニア貯蔵タンク２内にはアンモニアの残量がないので、清掃に際してアンモニアを廃棄する必要がない。また希釈水の利用量を低減することができる。例えば、従来のように２０ｔの脱硝アンモニア貯蔵タンク２で３ｔの残量があるときは、アンモニア残液ブロー作業に２日程度費やしていたが、本発明の装置を用いて消費した脱硝アンモニア貯蔵タンク２では半日程度で清掃作業が完了し、開放点検を迅速に実施することができる。それに伴う、アンモニア希釈水も３００ｔ程度使用していたが、１０ｔ程度で済むようになった。しかも、排水処理量も３００ｔから１０ｔ程度に削減することができ、異臭の軽減もできた。
【００３７】
なお、本発明は、脱硝アンモニア貯蔵タンク２と煙道アンモニア貯蔵タンク５とを使い分けることで、脱硝アンモニア貯蔵タンク２を空になるまで消費し、従来のように無駄にアンモニアを残して廃棄することなくアンモニアを有効に利用し、かつその廃棄のために貯蔵タンクの清掃の労力を軽減し、また希釈水の利用量を低減することができれば、上述した発明の実施の形態に限定されず、本発明の要旨を逸脱しない範囲で種々変更できることは勿論である。
【産業上の利用可能性】
【００３８】
本発明のアンモニア貯蔵タンクの全量消費方法及びその装置は、火力発電所や原子力発電所等の燃料を燃焼した排ガスが発生するプラントの排ガス処理設備に利用することができる。
【符号の説明】
【００３９】
１ １号脱硝装置（脱硝装置）
２ 脱硝アンモニア貯蔵タンク
３ １・２号煙道（煙道）
４ ３号煙道（煙道）
５ 煙道アンモニア貯蔵タンク
６ 気化器
８ 脱硝アンモニア注入装置
９ 電気集塵機
１０ Ａ−煙道アンモニア注入装置
１１ Ｂ−煙道アンモニア注入装置
１２ 液化アンモニア供給配管
１３ａ 開閉弁（アンモニアガス開閉弁）
１３ｂ 開閉弁（液化アンモニア開閉弁）
１４ アンモニアガス供給配管
【図１】
0005367004.tif 000002
【図２】
0005367004.tif 000003
【図３】
0005367004.tif 000004
【図４】
0005367004.tif 000005
【図５】
0005367004.tif 000006